(57)【要約】【課題】可搬型マッサージ機の使用時における安全性を向上させる。【解決手段】本体１Ａ上面に形成された開口部１Ｂから外部に突出した一対の施療子３が、それぞれ傾斜軸６とともに互いに逆方向に左右対称的に旋回運動することにより、これらの施療子３間で頸部や腰部、あるいは脹ら脛部等の特定部位を両側から挟み込んでマッサージ動作を行うようにした可搬型マッサージ機１において、開口部１Ｂにセーフティーカバー４を設けて、開口部１Ｂから本体１Ａ内へ、手指等を布カバー２とともに誤って侵入させたり、本体１Ａ上面に誤ってこぼした水や飲料等の液体が、本体１Ａ内部に侵入して故障や電気回路のショートによる漏電・火災の原因となることを防止する。【選択図】　図１
2004081416.tif 000002
【特許請求の範囲】
【請求項１】
本体の内部に中心軸線が互いに上方に向けて左右両側へ拡がるように傾斜して回転自在に支持された一対の駆動軸と、
これらの駆動軸上端に設けられたベアリングホルダと、
それぞれの駆動軸の中心軸線に対して、駆動軸の回転によって中心軸線が仮想的な倒立円錐面に沿って旋回運動するように、ベアリングホルダに傾斜して取り付けられたベアリングに下端部を回転自在に支持された傾斜軸と、
それぞれの傾斜軸の上端部に固定され、本体の上面に形成された開口部から外部に突出した一対の施療子とを有し、
これらの施療子が傾斜軸とともに互いに逆方向に左右対称的に旋回運動するように両方の駆動軸が同期して回転駆動される可搬型マッサージ機において、
前記開口部に本体内への異物や液体の侵入を防止するためのセーフティーカバーを装着したことを特徴とする可搬型マッサージ機。
【請求項２】
ベアリングホルダは駆動軸と同心の円筒状外周面を有するとともに、上面に開口したベアリングを収容する凹部が形成され、前記上面には、前記凹部を覆って前記ベアリングを前記凹部内に固定するための、少なくともベアリングホルダ外周面から突出しない輪郭形状を有するベアリングカバーが取り付けられ、セーフティーカバーには、ベアリングホルダの外周面に適合する内周面を有して、ベアリングホルダを回転自在に収容する筒状部が上下方向に形成されていることを特徴とする請求項１記載の可搬型マッサージ機。
【請求項３】
セーフティーカバー上に、一対の施療子間で施療部近傍を下方から保持する挟み込み防止ブロックを設けたことを特徴とする請求項１又は２記載の可搬型マッサージ機。
【発明の詳細な説明】
【０００１】
【発明の属する技術分野】
本発明は、頸部や腰部、あるいは脹ら脛部等、身体の特定の部位をマッサージするための可搬型マッサージ機に関する。
【０００２】
【従来の技術】
従来、小型で所望の場所へ持ち運んで使用することができるマッサージ機（可搬型マッサージ機）においては、半球状ないし円筒状の軟質なゴムやゲル素材等の弾性材料で形成された一対の施療子をそれぞれ回転自在な傾斜軸の上端部に固定して、これらの一対の傾斜軸の中心軸線をそれぞれ仮想的な倒立円錐面に沿って左右対称的に互いに逆方向に同期して旋回駆動することにより、これらの施療子間で頸部や腰部、あるいは脹ら脛部等の部位を左右両側から挟み込んで揉みほぐすようなマッサージ動作を行っている。
【０００３】
【発明が解決しようとする課題】
前述したような可搬型マッサージ機においては、マッサージ機の本体上面に通常は布カバーに覆われた開口部が設けられ、この開口部から本体外側に突出した一対の施療子が布カバーの内側で旋回運動し、布カバーを通して頸部や腰部等の施療位置をマッサージするようにしているため、手指等を布カバーとともに開口部から本体内へ誤って侵入させてしまう可能性があり、この際、施療子が駆動されていると、開口部内周縁部と施療子等の可動部分との間に布カバーとともに手指を挟んでしまう恐れがあった。
【０００４】
また、可搬型マッサージ機の上に、水や飲料等をこぼしてしまうと、これらの液体が布カバーを通して本体内に侵入し、内部の部品を腐食させて故障の原因となったり、本体内の電気回路をショートさせて漏電や火災等を発生する恐れがあった。
【０００５】
また特に頸部をマッサージする際、一対の施療子間に頸部が深く入り込み過ぎると、これらの施療子が互いに接近した時に頸部を両側から強く挟み込んでしまう問題があった。
【０００６】
そこで、本発明は、前述したような従来技術の問題を解消し、可搬型マッサージ機の使用時における安全性を向上させることを目的とする。
【０００７】
【課題を解決するための手段】
前記目的を達成するため、本発明の可搬型マッサージ機は、本体の内部に中心軸線が互いに上方に向けて左右両側へ拡がるように傾斜して回転自在に支持された一対の駆動軸と、これらの駆動軸上端に設けられたベアリングホルダと、それぞれの駆動軸の中心軸線に対して、駆動軸の回転によって中心軸線が仮想的な倒立円錐面に沿って旋回運動するように、ベアリングホルダに傾斜して取り付けられたベアリングに下端部を回転自在に支持された傾斜軸と、それぞれの傾斜軸の上端部に固定され、本体の上面に形成された開口部から外部に突出した一対の施療子とを有し、これらの施療子が傾斜軸とともに互いに逆方向に左右対称的に旋回運動するように両方の駆動軸が同期して回転駆動されるものであり、前記開口部には、本体内への異物や液体の侵入を防止するためのセーフティーカバーが装着されている。
【０００８】
本発明の可搬型マッサージ機においては、ベアリングホルダは駆動軸と同心の円筒状外周面を有するとともに、上面に開口したベアリングを収容する凹部が形成され、前記上面には、前記凹部を覆って前記ベアリングを前記凹部内に固定するための、少なくともベアリングホルダ外周面から突出しない輪郭形状を有するベアリングカバーが取り付けられ、セーフティーカバーには、ベアリングホルダの外周面に適合する内周面を有して、ベアリングホルダを回転自在に収容する筒状部が上下方向に形成されていることが望ましい。
【０００９】
また、　セーフティーカバー上に、一対の施療子間で施療部近傍を下方から保持する挟み込み防止ブロックを設けていることも望ましい。
【００１０】
【発明の実施の形態】
図１は、本発明の可搬型マッサージ機（以下、単にマッサージ機という。）の１実施形態を示す斜視図であって、本発明のマッサージ機１は、椅子やソファの上に載せて、腰部のマッサージを行ったり、床やマットレスの上に置いて、仰向けに寝た姿勢で頸部のマッサージを行うために用いられるものである。
【００１１】
同図に示すように、マッサージ機１の本体１Ａの上面には、開口部１Ｂが形成されており、開口部１Ｂには、柔軟性のあるポリアミド系の耐摩耗性に優れた素材からなる布カバー２が装着されていて、その内部に、一対の施療子３が収容されている。
これらの施療子３は、本実施形態においては、上面が半球状の円柱形に形成されていて、その素材には柔軟に弾性変形可能なゲル素材やゴム素材が用いられている。
【００１２】
図２は、マッサージ機１の、上下に２分割可能に構成されている本体１Ａの上側部分を取り外した状態を示す斜視図であって、これらの施療子３の下方には、開口部１Ｂを塞ぐように、開口部１Ｂの内周縁に適合する輪郭を有するセーフティーカバー４が設けられている。
【００１３】
本実施形態においては、セーフティーカバー４は樹脂製であって、図３に示すようにやや中高に湾曲した板状に一体成形されており、内部が上下方向に貫通した左右一対の筒状部４Ａを有している。また、これらの筒状部４Ａの間には、挟み込み防止ブロック装着用凹部４Ｂが形成されている。
【００１４】
また、セーフティーカバー４の外周全体に亘って連続した突縁４Ｃが形成されている。　突縁４Ｃは、本体１Ａの上面に、誤って水やジュース等をこぼした場合に、その水分が本体１Ａの内部へ侵入することを防止するために設けられている。なお、セーフティーカバー４はステンレス板等の金属板をプレス成形して形成してもよい。
【００１５】
図４は、施療子３を駆動する機構の断面図であって、同図に示すようにそれぞれの施療子３は、短円筒状のベアリングホルダ５上方に突出した傾斜軸６の上端部に固定されている。
【００１６】
ベアリングホルダ５の上面の中心から偏倚した位置には、凹部５Ａが形成されていて、この中には、ベアリング７が傾斜した状態で嵌装され、このベアリング７によって、傾斜軸６の下端部が回転自在に支持されている。
【００１７】
ベアリングホルダ５の上面の略半分は、傾斜面５Ｂに形成されていて、前記傾斜面５Ｂ上には、ベアリングカバー８取り付けられ凹部５Ａを覆っている。前記ベアリングカバー８は、図５に示すように、一方の縁８Ａが直線状に形成され、反対側の縁８Ｂが、ベアリングホルダ５の外周に重なる円弧状に形成されており、また、中央には傾斜軸６が回転自在に貫通する孔８Ｃが形成されている。
なお、前記縁８Ｂは、ベアリングホルダ５の外周前記縁８Ｂの輪郭は、少なくともベアリングホルダ５の外周面から突出しない形状であればよい。
【００１８】
またベアリングカバー８の直線状の縁８Ａの両端部には、それぞれ下方に折れ曲がった固定片８Ｄが設けられていて、これらの固定片８Ｄに形成されている孔８Ｅに通した取付ねじ９をベアリングホルダ５の側面に形成されている図示しないねじ穴に螺合締結することで、ベアリングホルダ５にベアリングカバー８を固定し、凹部５Ａからのベアリング７の上方への抜けを防止している。
【００１９】
なお、図４に示すように、傾斜軸６下端部には小径の段が形成されていて、ベアリング７はこの小径部分に嵌装されている。また、同図には詳細に図示されていないが、前記小径部分の下部には、環状の溝が形成されており、ここに装着されている弾性止め輪によって、傾斜軸６からベアリング７が脱落しないようになっている。
【００２０】
図４に示すように、ベアリングホルダ５はそれぞれ、下面中央に形成されている軸穴５Ｃが対応する駆動軸１０の上端部に嵌合されて固定されている。これらの駆動軸１０は、本体１Ａに固定されたギヤケース１１にそれぞれ上下一対のベアリング１２を介して回転自在に支持されている。
【００２１】
また、前記ギヤケース１１内には各駆動軸１０に固定されたウォームホイール１３が一対収容されている。これらのウォームホイール１３は、ギヤケース１１の中央に回転自在に横架されたウォーム１４にその両側で噛み合っている。なおこれらのウォームホイール１３は、代わりにヘリカルギヤを用いてもよい。
【００２２】
前記ウォーム１４は、図２に示すモータ１５の軸と一体に回転するように連結されていて、モータ１５によりウォーム１４が駆動されると、これらのウォームホイール１３は駆動軸１０とともに、互いに逆向きに同期回転するようになっている。
【００２３】
なお、本実施形態においては、前記モータ１５への給電は、本体１Ａの側面に設けたプラグ差込口１Ｃに、電源コードを繋いで外部の電源から図示しない駆動制御回路を通して行っている。
【００２４】
図４に示すように、セーフティーカバー４は、ギヤケース１１の上面に重ねて配置されており、各駆動軸１０の上端に固定されているベアリングホルダ５は、筒状部４Ａ内に収容されるようになっている。
【００２５】
この際、ベアリングホルダ５の外周面ならびにベアリングカバー８の円弧状の縁８Ｂ（図５参照）と、筒状部４Ａの内周面とは、ベアリングホルダ５の回転に支障をきたさないように僅かな隙間が確保されている。
【００２６】
また、図４に示すように、セーフティーカバー４の左右一対の筒状部４Ａの間に形成されている挟み込み防止ブロック装着用凹部４Ｂには、挟み込み防止ブロック１６が装着されている。
【００２７】
図６に示すように、前記挟み込み防止ブロック１６は、ブロック本体１６Ａと取付ベース１６Ｂから構成されている。ブロック本体１６は、施療子３と同様な柔軟で弾性変形可能な素材から形成されており、その内部には、左右方向に弾性変形可能な板ばね状の弾性芯体１６Ｃが埋め込まれている。
【００２８】
ブロック本体１６Ａの下面は取付ベース１６Ｂの上面に接着されているとともに、弾性芯体１６Ｃの下端側はブロック本体１６の下面から下方に突出して取付ベース１６Ｂ内に埋設固定されている。
【００２９】
取付ベース１６Ｂは、本実施形態のものにおいては硬質樹脂で形成されていて、図３に示すセーフティーカバー４の挟み込み防止ブロック装着用凹部４Ｂ内に嵌装されて、セーフティーカバー４の下面側からねじ孔４Ｄを通して挿入される図示しない固定ねじによってセーフティーカバー４に固定される構造になっている。
【００３０】
次に、図７は、前述した図４に示す機構によって駆動される施療子３の動きを模式的に示す図であって、同図においてＸは傾斜軸６の中心軸線、Ｙは駆動軸１０の中心軸線をそれぞれ表している。
【００３１】
中心軸線Ｘと中心軸線Ｙは傾斜軸６の下端より下方に位置する点Ｐで交差するようになっている。また、２つの駆動軸１０の中心軸線Ｙどうしは上方に向けて互いに両外側に開くように傾いており、図４において、一対の駆動軸１０が回転駆動されると、それぞれの傾斜軸６の中心軸線Ｘは、施療子３とともに点Ｐを頂点とする仮想的な倒立円錐面Ｃに沿って旋回運動を行う。
【００３２】
一対の施療子３は、このような動きによって、頸部や腰部の施療部を布カバー２を介して両側から互いに挟むように近づきながら上方へ押し上げて揉みと指圧を行う。この時、それぞれの施療子３は、柔軟に弾性変形するため、人の指の感触に近い快いマッサージ感が得られる。
【００３３】
なお、マッサージ機１で頸部のマッサージを行う場合には、マッサージ機１を床面やマットレス上に置いて、使用者は頸部が一対の施療子３に布カバー２の上から当たるようにして仰向けに横たわり、この状態で、マッサージ機１を動作させて施療部位のマッサージを行う。
【００３４】
一方、腰部のマッサージを行う場合には、図１及び図２に示すハンドル部１７を下に向けて椅子や座椅子の上に載せて本体１Ａを背もたれに立て掛け、使用者は、座った姿勢で施療子３施療部位に当たるようにしてマッサージ機を動作させる。
【００３５】
本実施形態においては、ハンドル部１７は、図２に示すようにパイプ状に形成された左右両側部分が、本体１Ａ内に設けられた一対の受筒１８にスライド自在に挿入されており、ハンドル部１７を所望位置まで引き出すことによって、マッサージ機１を背もたれに立て掛けた時の施療子の高さを調整できるようになっている。
【００３６】
また、本実施形態のマッサージ機１においては、頸部のマッサージを行う場合、図８に示すように一対の施療子３どうしが左右に離れた位置では、セーフティーカバー４上面中央部に配置した挟み込み防止ブロック１６が頸部を支えて施療子３の下方部分まで頸部が深く落ち込むのを防止し、この状態から図９に示すように左右の施療子３どうしが接近した時に、頸部が両側から強く挟み込まれることを防止できる。
【００３７】
本実施形態においては、頸部を下方から支持する挟み込み防止ブロック１６のブロック本体１６Ａには、板ばね状の弾性芯体１６Ｃが内蔵されているため、外力が作用した場合に上下方向の変形は小さく、頸部の沈み込みを確実に防止できるとともに、左右方向へは弾性芯体１６Ｃが柔軟に弾性変形可能であるので、施療子３とブロック本体１６Ａとの間に頸部の皮が挟まってつねられることが防止できる。
【００３８】
なお、挟み込み防止ブロック１６は、製造コスト低減のため、頸部への圧迫感は多少増加するが、弾性芯体１６を省略し、代わりに上方からの負荷によって変形する量が少ないやや硬質のゴム素材やウレタン等で製作してもよい。
【００３９】
また、マッサージ機１は、頸部のマッサージと同様にして、一対の施療子３によって脹ら脛部のマッサージも行うことができる。
【００４０】
【発明の効果】
以上説明したように、請求項１記載の発明に係る可搬型マッサージ機によれば、マッサージ機の使用上の安全性を高めることができ、マッサージ機の本体の開口部にセーフティーカバーを取り付けてあるため、開口部の隙間から本体内に施療子を覆っている布カバーや布カバーとともに指等を侵入させる恐れがない。
また、マッサージ機の上に水や飲料等を誤ってこぼした場合に、セーフティーカバーが本体内への水分の侵入を阻止し、駆動機構の錆び付きや漏電事故等を防止できる。
【００４１】
また、請求項２記載の発明によれば、施療子が固定された傾斜軸を軸受け支持する短円筒状のベアリングホルダに取り付けられているベアリングカバーがベアリングホルダの外周から突出しない輪郭を有し、且つベアリングホルダがセーフティーカバーに形成されているベアリングホルダ外周面に適合した内周面を有する筒状部内に収容されているため、回転しているベアリングホルダに、施療子を覆っている布カバーや布カバーとともに手指を巻き込こむ恐れがない。
【００４２】
さらに、請求項３記載の発明によれば、施療子間に頸部を下方から支持する挟み込み防止ブロックを設けているため、頸部のマッサージを行う際に、挟み込み防止ブロックが頸部を支えて施療子の下方部分まで頸部が深く落ち込むのを防止し、左右の施療子どうしが接近した時に、頸部が両側から強く挟み込まれることを防止できる。
【図面の簡単な説明】
【図１】本発明の可搬型マッサージ機の１実施形態を示す一部切欠き断面を含む斜視図である。
【図２】本発明の可搬型マッサージ機の内部構造を示す斜視図である。
【図３】本発明の可搬型マッサージ機に用いられているセーフティーカバーの外観を示す斜視図である。
【図４】本発明の可搬型マッサージ機における施療子の駆動機構を示す断面図である。
【図５】本発明の可搬型マッサージ機に用いられている施療子とベアリングホルダ部分の斜視図である。
【図６】本発明の可搬型マッサージ機に用いられている挟み込み防止ブロックの斜視図である。
【図７】本発明の可搬型マッサージ機における施療子の動きを説明する模式図である。
【図８】一対の施療子が互いに離間した状態における可搬型マッサージ機の正面図である。
【図９】一対の施療子が互いに接近した状態における搬型マッサージ機の正面図である。
【符号の説明】
１　　　可搬型マッサージ機
１Ａ　　本体
１Ｂ　　開口部
１Ｃ　　プラグ差込口
２　　　布カバー
３　　　施療子
４　　　セーフティーカバー
４Ａ　　筒状部
４Ｂ　　挟み込み防止ブロック装着用凹部
４Ｃ　　突縁
４Ｄ　　孔
５　　　ベアリングホルダ
５Ａ　　凹部
５Ｂ　　傾斜面
６　　　傾斜軸
７　　　ベアリング
８　　　ベアリングカバー
８Ａ、８Ｂ　　縁
８Ｃ　　　　　孔
８Ｄ　　　　　固定片
９　　　　　　取付ねじ
１０　　　　　　駆動軸
１１　　　　　　ギヤケース
１２　　　　　　ベアリング
１３　　　　　　ウォームホイール
１４　　　　　　ウォーム
１５　　　　　　モータ
１６　　　　　　挟み込み防止ブロック
１６Ａ　　　　　ブロック本体
１６Ｂ　　　　　取付ベース
１６Ｃ　　　　　弾性芯体
１７　　　　　　ハンドル部
１８　　　　　　受筒
【図１】
2004081416.tif 000003
【図２】
2004081416.tif 000004
【図３】
2004081416.tif 000005
【図４】
2004081416.tif 000006
【図５】
2004081416.tif 000007
【図６】
2004081416.tif 000008
【図７】
2004081416.tif 000009
【図８】
2004081416.tif 000010
【図９】
2004081416.tif 000011